(57)【特許請求の範囲】
【請求項１】
透明樹脂製の円筒管からなる脳神経外科手術用リトラクターにおいて、
透明樹脂製の内筒管と、該内筒管の外周面に周方向に沿って形成され、かつ該内筒管の長さ方向に沿って互いに所定の間隔を存して形成された環状溝部と、該環状溝部に配設されてＸ線造影可能な複数の目盛りを構成する金属リングと、該内筒管の外周面及び該金属リングを被覆する透明樹脂製の外筒管とを備えることを特徴とする脳神経外科手術用リトラクター。
【発明の詳細な説明】
【技術分野】
【０００１】
本発明は、内視鏡下脳内血腫除去術等の脳神経外科手術に用いられる脳神経外科手術用リトラクターに関する。
【背景技術】
【０００２】
代表的な脳神経疾患の１つに脳内血腫がある。前記脳内血腫は出血した血液が脳内で塊となったものであり、頭蓋内圧を亢進させる。そこで、生命が危険に晒される場合には、前記脳内血腫を除去することがある。
【０００３】
前記脳内血腫を除去する方法のひとつに、内視鏡下脳内血腫除去術がある。前記内視鏡下脳内血腫除去術は、まず、穿頭術により頭蓋骨に形成された直径１０ｍｍ程度の孔部から脳内血腫まで円筒形のリトラクターを穿刺し、該リトラクターの内部に内視鏡及び吸引管を挿入する。そして、前記内視鏡により患部を観察しながら、前記吸引管により前記脳内血腫を吸引除去する。
【０００４】
従来、前記リトラクターとして、透明樹脂からなり外面の長さ方向に沿って目盛りを付けたものが知られている（例えば、特許文献１参照）。
【０００５】
前記従来のリトラクターによれば、脳に穿刺する際に、外部から前記目盛りを視認することにより、脳表から該リトラクターの先端までの距離を認識することができ、目標とする深さに確実に穿刺することができる。
【先行技術文献】
【特許文献】
【０００６】
【特許文献１】特開２０００−３２５３５６号公報
【発明の概要】
【発明が解決しようとする課題】
【０００７】
しかしながら、前記従来のリトラクターでは、Ｘ線照射により患部を三次元的に解析しようとするときに、前記目盛りを造影することができないので、確実な治療が困難になるという不都合がある。
【０００８】
本発明は、かかる不都合を解消して、Ｘ線照射により患部を三次元的に解析するときに確実な治療を行うことができる脳神経外科手術用リトラクターを提供することを目的とする。
【課題を解決するための手段】
【０００９】
かかる目的を達成するために、本発明は、透明樹脂製の円筒管からなる脳神経外科手術用リトラクターにおいて、透明樹脂製の内筒管と、該内筒管の外周面に周方向に沿って形成され、かつ該内筒管の長さ方向に沿って互いに所定の間隔を存して形成された環状溝部と、該環状溝部に配設されてＸ線造影可能な複数の目盛りを構成する金属リングと、該内筒管の外周面及び該金属リングを被覆する透明樹脂製の外筒管とを備えることを特徴とする。
【００１０】
本発明の脳神経外科手術用リトラクターによれば、前記目盛りを備えることにより、脳に穿刺する際に脳表から該リトラクターの先端までの距離を目視により確認することができ、目標とする深さに確実に穿刺することができる。また、本発明の脳神経外科手術用リトラクターによれば、前記目盛りがＸ線造影可能であるので、Ｘ線照射により患部を三次元的に解析するときに、該目盛りにより該リトラクターと患部との相互位置を容易に把握することができ、確実な治療を行うことができる。
【００１２】
本発明の脳神経外科手術用リトラクターは、前記内筒管の外周面に形成された前記環状溝部に前記金属リングを配設することにより、前記Ｘ線造影可能な複数の目盛りを備えたものとすることができる。このとき、本発明の脳神経外科手術用リトラクターは、前記内筒管の外周面及び前記金属リングが前記外筒管により被覆されていることにより、該金属リングの脱落を防止することができる。
【図面の簡単な説明】
【００１４】
【図１】本発明の脳神経外科手術用リトラクターの第１の態様の構成を示す模式的斜視図。
【図２】本発明の脳神経外科手術用リトラクターの製造方法を示し、（Ａ）は第１工程、（Ｂ）は第２工程、（Ｃ）は第３工程、（Ｄ）は第４工程をそれぞれ示す模式的斜視図。
【発明を実施するための形態】
【００１５】
次に、添付の図面を参照しながら本発明の実施の形態についてさらに詳しく説明する。
【００１６】
まず、図１を参照して、本実施形態の脳神経外科手術用リトラクター１について説明する。
【００１７】
本実施形態の脳神経外科手術用リトラクター１は、内筒管２と、内筒管２の外周面に周方向に沿って形成された複数の環状溝部３と、各環状溝部３に配設された金属リング４と、内筒管２の外周面及び金属リング４を被覆する外筒管５とを備えている。
【００１８】
ここで、複数の環状溝部３は内筒管２の長さ方向に沿って互いに所定の間隔を存して形成されている。また、金属リング４は、Ｘ線造影可能な目盛り６を構成している。
【００１９】
内筒管２及び外筒管５は透明樹脂からなる円筒管である。前記透明樹脂として例えば、テトラフルオロエチレン−パーフルオロアルキルビニルエーテル共重合体（ＰＦＡ）、テトラフルオロエチレン−ヘキサフルオロプロピレン共重合体（ＦＥＰ）等のフッ素樹脂及びポリカーボネート（ＰＣ）を挙げることができる。
【００２０】
金属リング４を形成する金属は、Ｘ線造影可能であれば特に限定されないが、例えば、ステンレス（例えばＳＵＳ３０４）の表面に金（Ａｕ）めっき層、ルテニウム（Ｒｕ）めっき層又はプラチナ（Ｐｔ）めっき層を形成したもの、タンタル（Ｔａ）等を挙げることができる。
【００２１】
次に、図２を参照して、脳神経外科手術用リトラクター１の製造方法について説明する。
【００２２】
脳神経外科手術用リトラクター１を製造するときには、まず、図２（Ａ）に示すように、内筒管２の内部に金属（例えばステンレス）製の丸棒７を配置する。ここで、内筒管２の内径は丸棒７の外径よりも大きく設定されており、内筒管２と丸棒７との間には空隙Ｓ１が形成されている。
【００２３】
次に、図２（Ｂ）に示すように、内筒管２を加熱することにより熱収縮させ、丸棒７に密着させる。
【００２４】
内筒管２は、例えばＰＦＡ又はＦＥＰからなり、熱収縮させて丸棒７に密着させることにより、内筒管２の内径を丸棒７の外径に一致させることができる。従って、丸棒７の外径を調整することにより、脳神経外科手術用リトラクター１の内径を容易に所望の寸法とすることができる。脳神経外科手術用リトラクター１の内径は、例えば、内視鏡と吸引管とを同時に挿入できる寸法とすることができる。
【００２５】
次に、内筒管２の外周面に周方向に沿って複数の環状溝部３を形成する。環状溝部３は、例えば内筒管２の外周面を切削することにより形成することができる。環状溝部３は、内筒管２の長さ方向に沿って、互いに所定の間隔を存して形成される。
【００２６】
次に、環状溝部３に帯状の金属プレート８を巻き付けることにより、金属プレート８からなる金属リング４を形成する。この結果、環状溝部３に金属リング４が配設される。
【００２７】
次に、図２（Ｃ）に示すように、外筒管５の内部に、環状溝部３に金属リング４が配設された内筒管２と丸棒７とを配置する。ここで、外筒管５の内径は内筒管２の外径よりも大きく設定されており、外筒管５と内筒管２との間には空隙Ｓ２が形成されている。
【００２８】
次に、図２（Ｄ）に示すように、外筒管５を加熱することにより熱収縮させ、内筒管２の外周面に密着させる。
【００２９】
外筒管５は、例えばＰＦＡ又はＦＥＰからなり、熱収縮させて内筒管２に密着させることにより、内筒管２の外周面及び金属リング４を被覆することができる。この結果、外筒管５により金属リング４の脱落を防止することができる。
【００３０】
次に、丸棒７を内筒管２から引き抜くことにより、図１に示す脳神経外科手術用リトラクター１を得ることができる。
【００３４】
本実施形態の脳神経外科手術用リトラクター１は、Ｘ線造影可能な複数の目盛り６を備えているが、さらに脳に穿刺する際に先端となる部分にＸ線造影可能なエンドマーク（図示せず）を備えていることが好ましい。前記エンドマークは、脳神経外科手術用リトラクター１において、それぞれ目盛り６と同様にして形成することができる。
【００３５】
本実施形態の脳神経外科手術用リトラクター１は、例えば、内視鏡下脳内血腫除去術を行う際に、脳表から脳内血腫の位置まで穿刺され、内筒管２又は円筒管１２の内部に挿通される内視鏡及び吸引管を脳内血腫に案内する。このとき、脳神経外科手術用リトラクター１は目盛り６を備えるので、外部から目盛り６を視認することにより、脳表から脳神経外科手術用リトラクター１の先端までの距離を認識することができる。従って、脳神経外科手術用リトラクター１を脳内血腫の内部まで、確実に穿刺することができる。
【００３６】
また、目盛り６はＸ線造影可能であるので、Ｘ線照射により前記脳内血腫を三次元的に解析するときに、目盛り６により脳神経外科手術用リトラクター１と該脳内血腫との相互位置を容易に把握することができ、確実な治療を行うことができる。目盛り６には、前記エンドマークを基点として目盛り番号を付与してもよい。
【００３７】
さらに、脳神経外科手術用リトラクター１は透明樹脂製であるので、前記内視鏡を介して脳室内を観察することができ、出血の有無、脳内血腫の状態、脳内血腫の取り残しの有無等を容易に確認することができる。
【符号の説明】
【００３８】
１…脳神経外科手術用リトラクター、  ２…内筒管、  ３…環状溝部、  ４…金属リング、  ５…外筒管、  ６…目盛り、  １２…円筒管、  １３…帯状の金属層。
【要約】
【課題】Ｘ線照射により患部を三次元的に解析するときに確実な治療を行うことができる脳神経外科手術用リトラクターを提供する。
【解決手段】脳神経外科手術用リトラクター１，１１は透明樹脂製の円筒管２，５，１２からなる。円筒管２，５，１２の長さ方向に沿って互いに所定の間隔を存して形成され、Ｘ線造影可能な複数の目盛り６，１４を備える。
【選択図】  図１【図１】
0005680251.tif 000002
【図２】
0005680251.tif 000003